(57)【要約】【課題】従来の表示装置は、パネルが割れないよう、アルミシャーシに衝撃を伝わりにくくしようとしたが、部品が増加するため、組み立て工程の増加、複雑化によりコストが高くなるという課題を有していた。【解決手段】１０３の補強リブが底面方向からの衝撃を受けたとき、Ｂの距離を長くとった１０３の補強リブは、図１（ｃ）のように１０５の固定位置を支点として前後方向に曲がることにより、衝撃を緩和することができる。本発明によれば、１０３のスタンドポールブラケットの受けた衝撃を１０２の補強リブで吸収することができ且つ部品点数を増やすことなく既存の構成部品にてパネルの破損を防ぐことができる。【選択図】図１
2008096712.tif 000002
【特許請求の範囲】
【請求項１】
平面形状のアルミシャーシの一面にパネルを設置し、他の一面に弾性を持つアルミシャーシ補強リブを備えた薄型映像表示装置であって、
前記アルミシャーシの一端にスタンドポールが挿入されるスタンドポールブラケットが固定され、
前記アルミシャーシと前記アルミシャーシ補強リブの固定位置と前記アルミシャーシと前記スタンドポールブラケットの固定位置は、前記アルミシャーシの平面上において、所定の距離を持つことを特徴とする薄型映像表示装置。
【請求項２】
さらに前記アルミシャーシと前記アルミシャーシ補強リブの固定位置と前記アルミシャーシと前記スタンドポールブラケットの固定位置は、前記アルミシャーシの平面に垂直方向に所定の距離を持つことを特徴とする薄型映像表示装置。
【発明の詳細な説明】
【技術分野】
【０００１】
本発明はプラズマディスプレイなどの薄型映像表示装置の表示部とスタンド部の連結部分の構造に関するものである。
【背景技術】
【０００２】
図４は従来の薄型映像表示装置の構成の一例を示す図である。この薄型映像表示装置では、スタンドポールブラケットをアルミシャーシに直接取り付ける構成で、底面落下したときにスタンドポールブラケットが受けた衝撃をアルミシャーシに伝えやすい。そのため
アルミシャーシが大きく歪みパネルが割れやすくなる。
【０００３】
このような問題を解決するために、例えば特許文献１に記載されている構造が提案されている。図５は特許文献１に記載された表示装置である。図５において、表示部２とスタンド部３とは弾性を有する連結部材２１によって連結されているため、装置を床に落としたりしてスタンド部３に衝撃が加えられても、スタンド部３からの衝撃は、弾性を有する連結部材２１によって減衰されて液晶パネルＰにはほとんど伝わらない。これにより、液晶の配向不良や液晶パネルの破損等を回避できる。また、連結部材２１によって衝撃や余分な力を吸収できるため、メインフレーム５の板厚を厚くする必要がなく、その分表示部２を薄型かつ軽量にできる。
【特許文献１】特開平１１−１６０６８６号公報
【発明の開示】
【発明が解決しようとする課題】
【０００４】
しかしながら従来の表示装置は、パネルが割れないよう、アルミシャーシに衝撃を伝わりにくくしようとしたが、部品が増加するため、組み立て工程の増加、複雑化によりコストが高くなるという課題を有していた。
【０００５】
本発明は前記従来の課題を解決するもので、スタンドブラケットをアルミシャーシに直接取り付けず、薄型映像表示装置のアルミシャーシに必須であるアルミシャーシ補強リブにとりつけることにより部品数を増加することなくパネルの破損を防ぐ薄型映像表示装置を提供することを目的とする。
【課題を解決するための手段】
【０００６】
前記従来の課題を解決するために、本発明の薄型映像表示装置はスタンドブラケットをアルミシャーシに直接取り付けず弾性のあるアルミシャーシ補強リブにとりつけ、アルミシャーシにアルミシャーシ補強リブを取り付ける接続部を中央近くに配置した構成を有する。
【０００７】
本構成によって、スタンドポールブラケットが受けた衝撃を補強リブが曲がることによりアルミシャーシに衝撃が伝わる前に衝撃を吸収することとなる。
【０００８】
また、本発明の薄型映像表示装置は補強リブを中ほどから曲げてアルミシャーシ取り付け面から浮かすことにより底面方向から受けた衝撃を補強リブの前後の曲がりだけで吸収するのではなく曲げた部分の上下方向の曲がりによっても衝撃を吸収するものである。
【０００９】
また、本発明の薄型映像表示装置は補強リブをＺ型にしたことにより底面方向に加え背面方向からの衝撃に対してもＺ型に曲げた部分が前後方向に曲がり衝撃を吸収するものである。
【発明の効果】
【００１０】
本発明の薄型映像表示装置によれば、従来から備えてあったアルミシャーシ補強リブにつけるという構成から、部品数の増加させずにスタンドポールブラケットの受けた衝撃を吸収しアルミシャーシを大きく歪ませないためパネルの破損を防ぐことができる。
【発明を実施するための最良の形態】
【００１１】
以下本発明を実施するための最良の形態について、図面を参照しながら説明する。
【００１２】
（実施の形態１）
図１は本発明の実施の形態１において薄型映像表示装置の正面図、側面図と動作図である。
【００１３】
図１において、１０１はアルミシャーシであり、１０１のアルミシャーシに取り付けている１０２は補強リブ、１０２の補強リブに取り付けられている１０３は図示しないスタンドポールが挿入されるスタンドポールブラケットである、Ａは１０１のアルミシャーシと１０２の補強リブの固定位置の距離を表し、ＢはＡの固定位置から１０２の補強リブと１０３のスタンドポールブラケットの固定位置まで距離を表し、Ｃはアルミシャーシの外形寸法を表している。１０４は１０１に貼り付けられたプラズマディスプレイパネルである。１０５は１０１のアルミシャーシと１０２の補強リブとの固定位置を表したものであり、１０６は１０２の補強リブと１０３のスタンドポールブラケットの固定位置を表したものである。
【００１４】
Ｂの距離を長くとるほど１０３のスタンドポールブラケットの受ける衝撃を１０１のアルミシャーシに伝えにくくなる。また、補強リブの長さは長いほどＢの距離を長くとれるため、長い方が好ましい。補強リブの材料は、１０１のアルミシャーシの補強リブの役割を果たす範囲内で、できる限り弾力性のあるバネ材が好ましい。
【００１５】
かかる構成によれば１０３の補強リブが底面方向からの衝撃を受けたとき、Ｂの距離を長くとった１０３の補強リブは、図１（ｃ）のように１０５の固定位置を支点として前後方向に曲がることにより、衝撃を緩和することができる。
【００１６】
本発明によれば、１０３のスタンドポールブラケットの受けた衝撃を１０２の補強リブで吸収することができ且つ部品点数を増やすことなく既存の構成部品にてパネルの破損を防ぐことができる。
【００１７】
本実施の形態では１０２の補強リブの材料をバネ材としたが、それに限るものではなく同じ特性を持つものであれば良い。
【００１８】
（実施の形態２）
図２は本発明の実施の形態２における薄型映像表示装置の正面図と側面図である。
【００１９】
図２においては、図１と同じ構成要素については同じ符号を用い、説明を省略する。
【００２０】
図２においては１０２の補強リブを図１のストレート形状から、Ｓ字形状にし、１０１のアルミシャーシから１０３のスタンドポールブラケットの距離を離すことで図２（ｃ）のように１０３のスタンドポールブラケットが受けた底面方向からの衝撃を前後方向のみならず、底面方からの衝撃と同じ方向の上下方向にも１０５を支点に１０２の補強リブを変形させ衝撃を緩和することができる。
【００２１】
かかる構成によれば、前後方向にのみ１０２の補強リブを変形させる図１（ｃ）よりも受けた衝撃と同じ方向の上下方向にも１０２の補強リブを変形させる図２（ｃ）の方が１０３のスタンドポールブラケットが受ける衝撃をより吸収することができ、パネルも破損しにくくなる。
【００２２】
なお、本実施の形態では補強リブの長さはパネルの幅としたが、パネルより長くまたは短くしても良い。
【００２３】
また、本実施の形態では補強リブの材料をバネ材としたが、それに限るものではなく同じ特性を持つものであれば良い。
【００２４】
また、本実施の形態では隙間は空洞としたが、ウレタンやバネを挟むなど弾性体をはさんでも良い。
【００２５】
（実施の形態３）
図３は本発明の実施の形態２における薄型映像表示装置の正面図と側面図である。
【００２６】
図３においては、図１と同じ構成要素については同じ符号を用い、説明を省略する。
【００２７】
図３においては、１０２の補強リブを図２のＳ字構造からＺ型にしたことにより、底面方向のみならず背面方向からの衝撃も吸収することができる。
【００２８】
かかる構成によれば、１０３のスタンドポールブラケットが底面方向から受けた衝撃に対し、図２のように１０２の補強リブが前後方向と上下方向に変形し衝撃を吸収することができることに加え、１０３のスタンドポールブラケットが背面方向から受ける衝撃も前後方向に変形し衝撃を吸収することができ、パネルも破損しにくくなる。
【産業上の利用可能性】
【００２９】
本発明にかかる薄型映像表示装置は、既存の構成部品を利用することで部品を増やす事無く、従来品よりも衝撃に強くなる構造であるので、薄型映像表示装置の表示部とスタンドブランケット部の連結部分の構造として有用である。
【図面の簡単な説明】
【００３０】
【図１】（ａ）本発明の実施の形態１における薄型映像表示装置の正面図（ｂ）本発明の実施の形態１における薄型映像表示装置の側面図（ｃ）本発明の実施の形態１における薄型映像表示装置の動作図
【図２】（ａ）本発明の実施の形態２における薄型映像表示装置の正面図（ｂ）本発明の実施の形態２における薄型映像表示装置の側面図（ｃ）本発明の実施の形態２における薄型映像表示装置の動作図
【図３】（ａ）本発明の実施の形態３における薄型映像表示装置の正面図（ｂ）本発明の実施の形態３における薄型映像表示装置の側面図（ｃ）本発明の実施の形態３における薄型映像表示装置の動作図
【図４】（ａ）従来の薄型映像表示装置の構成の一例を示す正面図（ｂ）従来の薄型映像表示装置の構成の一例を示す側面図
【図５】従来の薄型映像表示装置の他の構成の示す正面図
【符号の説明】
【００３１】
１０１    アルミシャーシ
１０２    アルミシャーシ補強リブ
１０３    スタンドポールブラケット
１０４    プラズマディスプレイパネル
１０５    アルミシャーシとアルミシャーシ補強リブの接続部
１０６    アルミシャーシ補強リブとスタンドブラケットの接続部
２    表示部
３    スタンド部
５    メインフレーム
２１    弾性を有する連結部材
【図１】
2008096712.tif 000003
【図２】
2008096712.tif 000004
【図３】
2008096712.tif 000005
【図４】
2008096712.tif 000006
【図５】
2008096712.tif 000007